(57)【特許請求の範囲】
【請求項１】
第１の携帯電話機内の記憶装置に記憶されている情報と、第２の携帯電話機内の記憶装置に記憶されている情報とを互いに交換する携帯電話機情報交換方法において、
上記第１の携帯電話機の外部接続端子に外部接続装置を接続した状態で、該第１の携帯電話機を識別するための識別情報を該外部接続装置内のメモリに記憶するとともに、該外部接続装置からの制御コマンドに従い、該第１の携帯電話機内の記憶装置に記憶されている第１電話機情報及び上記識別情報を、該第１の携帯電話機の通信機能を利用してサーバ装置に送信する第１の工程と、
上記第２の携帯電話機の外部接続端子に上記外部接続装置を接続した状態で、該外部接続装置からの制御コマンドに従い、該第２の携帯電話機内の記憶装置に記憶されている第２電話機情報及び該外部接続装置内のメモリに記憶されている識別情報を、該第２の携帯電話機の通信機能を利用して上記サーバ装置に送信する第２の工程と、
上記サーバ装置で、上記第１の工程で送信された識別情報と上記第２の工程で送信された識別情報とが一致するか否かを判断し、一致しているときには、上記第１の携帯電話機から受信した第１電話機情報を該サーバ装置から上記第２の携帯電話機に送信するとともに、該第２の携帯電話機から受信した第２電話機情報を該サーバ装置から該第１の携帯電話機に送信する第３の工程とを有することを特徴とする携帯電話機情報交換方法。
【請求項２】
携帯電話機の外部接続端子に接続される携帯電話機用の外部接続装置において、
携帯電話機の外部接続端子に接続される接続部と、
携帯電話機を識別するための識別情報を記憶するメモリと、
上記接続部に接続された携帯電話機との間の通信制御を行う制御部とを備えており、
上記制御部は、
上記接続部に接続された第１の携帯電話機を識別するための識別情報を上記メモリに記憶するとともに、該第１の携帯電話機内の記憶装置に記憶されている第１電話機情報及び該識別情報を該第１の携帯電話機の通信機能を利用してサーバ装置に送信するための制御コマンドを該第１の携帯電話機に送出する第１の機能と、
上記メモリに記憶されている識別情報に対応しない第２の携帯電話機が上記接続部に接続されたとき、該第２の携帯電話機内の記憶装置に記憶されている第２電話機情報及び該メモリに記憶されている識別情報を該第２の携帯電話機の通信機能を利用して上記サーバ装置に送信するための制御コマンドを該第２の携帯電話機に送出する第２の機能とを有し、
所定の条件に従って、上記第１の機能及び上記第２の機能のいずれかの機能を発揮することを特徴とする携帯電話機用の外部接続装置。
【請求項３】
請求項２の携帯電話機用の外部接続装置において、
上記制御部は、上記第１の機能により上記識別情報を上記メモリに記憶した後の所定期間内に上記第２の機能が利用されないときには、該識別情報を該メモリから消去する第３の機能を有することを特徴とする携帯電話機用の外部接続装置。
【請求項４】
請求項３の携帯電話機用の外部接続装置において、
上記制御部は、上記第１の機能を発揮した後に、上記第２の携帯電話機が上記接続部に接続される前に上記第１の携帯電話機が上記接続部に接続されたとき、上記所定期間を延長する第４の機能を有することを特徴とする携帯電話機用の外部接続装置。
【請求項５】
請求項２、３又は４の携帯電話機用の外部接続装置において、
上記制御部は、上記メモリに記憶されている識別情報に対応する携帯電話機が上記接続部に接続されたとき、上記第１の機能及び上記第２の機能のいずれの機能も発揮しないことを特徴とする携帯電話機用の外部接続装置。
【請求項６】
請求項２、３、４又は５の携帯電話機用の外部接続装置において、
上記接続部に携帯電話機を接続したときに上記制御部が上記第１の機能と上記第２の機能のいずれの機能を発揮するかを、該携帯電話機の利用者に報知するための報知手段を有することを特徴とする携帯電話機用の外部接続装置。
【請求項７】
請求項２、３、４、５又は６の携帯電話機用の外部接続装置において、
上記制御部は、上記第２の機能により上記制御コマンドを上記第２の携帯電話機に送出した後の所定期間内に更に上記第２の機能が利用されないときには、上記メモリに記憶された識別情報を該メモリから消去する第５の機能を有することを特徴とする携帯電話機用の外部接続装置。
【発明の詳細な説明】
【０００１】
【発明の属する技術分野】
本発明は、携帯電話機内の記憶装置に記憶されている情報を他人と交換するための携帯電話機情報交換方法、及び、この方法に利用される携帯電話機用の外部接続装置に関するものである。
【０００２】
【従来の技術】
近年の携帯電話機の普及により、自分の携帯電話機の電話番号や電子メールアドレス等の電話機情報を他人と交換する機会が増えている。そのため、市場からは、電話機情報の交換をスムーズに行うことができる方法が強く望まれている。従来、電話機情報を交換する方法として、携帯電話機用の外部接続装置に電話番号、電子メールアドレス等が記憶しておき、この外部接続装置を用いる方法が知られている。この方法では、その外部接続装置を交換したい相手に渡し、これをその相手の携帯電話機の外部接続端子に接続することで、自分の電話番号等が相手の携帯電話機に登録される。そして、その登録後、相手の携帯電話機から自分の携帯電話機に、相手の携帯電話機の電話番号及び電子メールアドレスを含む電子メールが送信される。よって、この方法によれば、自分が所有する外部接続装置を相手に渡せば、自分の電話番号等を相手の携帯電話機に登録でき、相手の電話番号等を自分の携帯電話機に登録することが可能となる。
【０００３】
【発明が解決しようとする課題】
ところが、上記方法においては、外部接続装置に電話番号等を記憶する操作は店舗でしか行うことができず、携帯電話機の利用者自身で外部接続装置に電話番号等を記憶したり、その記憶内容を変更したりすることができなかった。そのため、利用者が携帯電話機の電話番号や電子メールアドレスを変更した場合には、その外部接続装置をそのまま利用し続けることはできない。もし、変更後もその外部接続装置を利用したい場合には、その外部接続装置を店舗に持ち込む等して記憶内容を変更するという煩雑な手続きが必要になり、非常に不便である。
【０００４】
本発明は、以上の背景に鑑みなされたものであり、その目的とするところは、利用者が携帯電話機の電話番号等を変更しても、煩雑な手続きを行うことなく継続して携帯電話機の電話番号等の交換を行うことができる携帯電話機情報交換方法、及び、携帯電話機用の外部接続装置を提供することである。
【０００５】
【課題を解決するための手段】
上記目的を達成するために、請求項１の発明は、第１の携帯電話機内の記憶装置に記憶されている情報と、第２の携帯電話機内の記憶装置に記憶されている情報とを互いに交換する携帯電話機情報交換方法において、上記第１の携帯電話機の外部接続端子に外部接続装置を接続した状態で、該第１の携帯電話機を識別するための識別情報を該外部接続装置内のメモリに記憶するとともに、該外部接続装置からの制御コマンドに従い、該第１の携帯電話機内の記憶装置に記憶されている第１電話機情報及び上記識別情報を、該第１の携帯電話機の通信機能を利用してサーバ装置に送信する第１の工程と、上記第２の携帯電話機の外部接続端子に上記外部接続装置を接続した状態で、該外部接続装置からの制御コマンドに従い、該第２の携帯電話機内の記憶装置に記憶されている第２電話機情報及び該外部接続装置内のメモリに記憶されている識別情報を、該第２の携帯電話機の通信機能を利用して上記サーバ装置に送信する第２の工程と、上記サーバ装置で、上記第１の工程で送信された識別情報と上記第２の工程で送信された識別情報とが一致するか否かを判断し、一致しているときには、上記第１の携帯電話機から受信した第１電話機情報を該サーバ装置から上記第２の携帯電話機に送信するとともに、該第２の携帯電話機から受信した第２電話機情報を該サーバ装置から該第１の携帯電話機に送信する第３の工程とを有することを特徴とするものである。
この方法においては、まず、第１の工程において、自分の携帯電話機である第１の携帯電話機の外部接続端子に外部接続装置を接続した状態で、その第１の携帯電話機を識別するための識別情報を外部接続装置内のメモリに記憶する。また、外部接続装置からの制御コマンドに従い、第１の携帯電話機の第１電話機情報及び上記識別情報を、第１の携帯電話機の通信機能を利用してサーバ装置に送信する。なお、識別情報の記憶処理とサーバ装置への送信処理の順序はどちらが先でもよい。また、第１電話機情報としては、第１の携帯電話機の電話番号や電子メールアドレス等が挙げられる。また、識別情報は、第１の携帯電話機に固有の情報であればよく、上記第１電話機情報や外部接続装置が生成したＩＤ情報などを利用することができる。
このようにして第１の工程を終えたら、次に、上記外部接続装置を交換相手の携帯電話機である第２の携帯電話機の外部接続端子に接続して、第２の工程を行う。この第２の工程では、上記第１の工程で行った送信処理と同様に、外部接続装置からの制御コマンドに従い、第２の携帯電話機の通信機能を利用して上記サーバ装置への送信処理が行われる。この送信処理では、第２の携帯電話機の第２電話機情報と、その外部接続装置内のメモリに記憶されている識別情報すなわち上記第１の携帯電話機の識別情報が上記サーバ装置に送信される。
以上の工程により、サーバ装置には、自分の電話機情報（第１の電話機情報）と交換相手の電話機情報（第１の電話機情報）が受け渡されることになる。そして、第３の工程において、サーバ装置は、上記第１の工程で送信された識別情報と、上記第２の工程で送信された識別情報とが一致するか否かを判断する。すなわち、第１の携帯電話機から送信された識別情報と、第２の携帯電話機から送信された識別情報とが一致するか否かを判断する。第２の携帯電話機から送信される識別情報は、上記外部接続装置を介して第１の携帯電話機から受け取った識別情報である。よって、サーバ装置は、第１の携帯電話機からの識別情報と一致する識別情報を送信した第２の携帯電話機は、第１の携帯電話機の利用者の交換相手がもつ携帯電話機であると認識することができる。したがって、サーバ装置は、識別情報が一致した第１の携帯電話機と第２の携帯電話機に対して、互いの電話機情報を送信する。これにより、互いに相手方の電話機情報を入手することができる。なお、本交換方法を３者以上の間での交換に適用する場合には、上記第１の工程を終えた後、第２の携帯電話機をもつ人数分、上記第２の工程を繰り返せばよい。この場合、第２の携帯電話機間においても、上記第３の工程と同様の処理により、互いの電話機情報を交換するようにしてもよい。
本請求項の携帯電話機情報交換方法によれば、互いに相手方と交換する電話機情報が、携帯電話機内の記憶装置に記憶されている電話機情報である。そのため、携帯電話機の電話番号や電子メールアドレス等の電話機情報を変更した場合でも、変更前の外部接続装置をそのまま利用し続けることができる。
【０００６】
また、請求項２の発明は、携帯電話機の外部接続端子に接続される携帯電話機用の外部接続装置において、携帯電話機の外部接続端子に接続される接続部と、携帯電話機を識別するための識別情報を記憶するメモリと、上記接続部に接続された携帯電話機との間の通信制御を行う制御部とを備えており、上記制御部は、上記接続部に接続された第１の携帯電話機を識別するための識別情報を上記メモリに記憶するとともに、該第１の携帯電話機内の記憶装置に記憶されている第１電話機情報及び該識別情報を該第１の携帯電話機の通信機能を利用してサーバ装置に送信するための制御コマンドを該第１の携帯電話機に送出する第１の機能と、上記メモリに記憶されている識別情報に対応しない第２の携帯電話機が上記接続部に接続されたとき、該第２の携帯電話機内の記憶装置に記憶されている第２電話機情報及び該メモリに記憶されている識別情報を該第２の携帯電話機の通信機能を利用して上記サーバ装置に送信するための制御コマンドを該第２の携帯電話機に送出する第２の機能とを有し、所定の条件に従って、上記第１の機能及び上記第２の機能のいずれかの機能を発揮することを特徴とするものである。
この外部接続装置は、携帯電話機の外部接続端子に接続されることで、上記請求項１の携帯電話機情報交換方法で使用される外部接続装置として機能する。具体的に説明すると、制御部は、第１の携帯電話機が接続部に接続された場合には上記第１の機能を発揮し、第２の携帯電話機が接続部に接続された場合には上記第２の機能を発揮する。接続部に接続された携帯電話機に対してどちらの機能を発揮するかを決定する所定の条件は、種々考えられる。例えば、利用者がいずれかの機能を選択できる操作ボタン等の選択手段を設けた場合には、利用者の選択内容を上記所定の条件とすることができる。この場合、利用者の自由意志により、本外部接続装置に接続される携帯電話機を第１の携帯電話機として利用するか又は第２の携帯電話機として利用するかを決定できるので、利便性を高めることができる。また、例えば、メモリ内に識別情報が記憶されているか否かを上記所定の条件とすることもできる。この場合、識別情報が記憶されていない状態で接続部に接続された携帯電話機に対しては第１の機能を発揮し、識別情報が記憶されている状態で接続部に接続された携帯電話機に対しては第２の機能を発揮する。よって、上述のように操作ボタン等の選択手段を設ける必要がなく、本外部接続装置の小型化が可能となる。なお、この外部接続装置は、２者間での交換に限らず、３者以上の間での交換にも適用することができる。この場合、３人目以降の携帯電話機が接続部に接続されたときも、上記第２の機能が発揮されるように上記所定の条件を設定すればよい。
【０００７】
また、請求項３の発明は、請求項２の携帯電話機用の外部接続装置において、上記制御部は、上記第１の機能により上記識別情報を上記メモリに記憶した後の所定期間内に上記第２の機能が利用されないときには、該識別情報を該メモリから消去する第３の機能を有することを特徴とするものである。
上記識別情報としては、上述したように携帯電話機の記憶装置に記憶されている電話番号や電子メールアドレス等の電話機情報を利用することができる。この場合、新たな識別情報を生成する必要がないため、制御部における処理を簡略化することができる。このように電話機情報を識別情報として利用した場合、その識別情報がメモリに記憶された状態で本外部接続装置が交換意志のない者の手に渡ると、その識別情報に利用されている電話機情報が不正利用されるおそれがある。しかし、本請求項の外部接続装置では、識別情報がメモリに記憶された後、第２の機能が利用されないまま所定期間が経過したときにその識別情報がメモリから消去される。したがって、本外部接続装置が交換意志のない者の手に渡っても、第２の機能が利用されないまま所定期間が経過すれば識別情報が消去される。
【０００８】
また、請求項４の発明は、請求項３の携帯電話機用の外部接続装置において、上記制御部は、上記第１の機能を発揮した後に、上記第２の携帯電話機が上記接続部に接続される前に上記第１の携帯電話機が上記接続部に接続されたとき、上記所定期間を延長する第４の機能を有することを特徴とするものである。
この外部接続装置においては、第１の携帯電話機の利用者がこれを接続部に接続して制御部が第１の機能を発揮した後、その第１の携帯電話機を再度接続部に接続すれば、メモリ内の識別情報が消去されるまでの期間を延長できる。よって、上記請求項１の携帯電話機情報交換方法の第１の工程を終えた後、外部接続装置を交換相手に渡して第２の工程を終えるまでに必要となる時間が上記所定期間よりも長いときでも、再度第１の工程を繰り返す必要がなくなる。
【０００９】
また、請求項５の発明は、請求項２、３又は４の携帯電話機用の外部接続装置において、上記制御部は、上記メモリに記憶されている識別情報に対応する携帯電話機が上記接続部に接続されたとき、上記第１の機能及び上記第２の機能のいずれの機能も発揮しないことを特徴とするものである。
利用者の操作方法の不知や操作ミスにより、上記請求項１の携帯電話機情報交換方法の第１の工程を終えた後、その第１の携帯電話機を接続した状態で第２の工程が実行されるという予定しない事態が生じ得る。そこで、本請求項の外部接続装置においては、メモリに記憶されている識別情報に対応する携帯電話機が接続部に接続されても、制御部で第１の機能も第２の機能も発揮されない。よって、第１の工程を終えた後、利用者が再度第１の携帯電話機を接続部に接続したとしても、その第１の携帯電話機に対して第２工程が実行されることがない。
【００１０】
また、請求項６の発明は、請求項２、３、４又は５の携帯電話機用の外部接続装置において、上記接続部に携帯電話機を接続したときに上記制御部が上記第１の機能と上記第２の機能のいずれの機能を発揮するかを、該携帯電話機の利用者に報知するための報知手段を有することを特徴とするものである。
本外部接続装置を小型化しようとする場合、上述したように、メモリ内に識別情報がない状態では第１の機能を発揮し、メモリ内に識別情報がある状態では第２の機能を発揮する構成が有効である。しかし、メモリ内に識別情報があるか否かは外部から判別できないため、利用者は、その外部接続装置を携帯電話機に接続したときにいずれの機能が発揮されるかを予め把握することができない。そのため、利用者は、外部接続装置に対する携帯電話機の接続や取外しを繰り返しながら試行錯誤するという無用な作業を強いられることがある。しかし、本請求項の外部接続装置においては、接続部に携帯電話機を接続したときにいずれの機能が発揮されるかが、報知手段により利用者に報知される。したがって、利用者は、本外部接続装置を利用する前に予め発揮される機能を把握できる。
【００１１】
また、請求項７の発明は、請求項２、３、４、５又は６の携帯電話機用の外部接続装置において、上記制御部は、上記第２の機能により上記制御コマンドを上記第２の携帯電話機に送出した後の所定期間内に更に上記第２の機能が利用されないときには、上記メモリに記憶された識別情報を該メモリから消去する第５の機能を有することを特徴とするものである。
３者以上の間で電話機情報を交換する場合、例えば、２人目がもつ第２の携帯電話機で第２の機能を発揮させた後その外部接続装置を３人目に渡し、その３人目がもつ第２の携帯電話機で再度第２の機能を発揮させるという作業を繰り返す。このとき、３人目以降の者が第１の携帯電話機をもつ者の周囲にいない場合、その外部接続装置を３人目以降の者に受け渡すまでに、その外部接続装置のメモリに記憶された電話番号等の識別情報が上述したような不正利用されるおそれがある。しかし、本請求項の外部接続装置では、第２の機能が発揮された後、次に再度第２の機能が利用されないまま所定期間が経過したときに識別情報がメモリから消去される。
【００１４】
【発明の実施の形態】
〔実施形態１〕
以下、本発明を、二人の利用者がもつ携帯電話機間で電話番号及び電子メールアドレスを交換する携帯電話機情報交換方法に適用した一実施形態（以下、本実施形態を「実施形態１」という。）について説明する。
まず、本実施形態１に係る携帯電話機情報交換方法を実施するための携帯電話機情報交換システム全体の構成について説明する。
図１は、本実施形態１に係る携帯電話機情報交換システム全体の概略構成図である。このシステムは、各利用者がそれぞれ所有する携帯電話機Ａ，Ｂと、これらの携帯電話機の外部接続端子１０Ａ，１０Ｂに接続される携帯電話機用の外部接続装置１と、これらの携帯電話機との間で情報通信を行うサーバ装置としてのＷｅｂサーバ２０とから構成されている。各携帯電話機Ａ，ＢとＷｅｂサーバ２０との間の情報通信は、携帯電話機自体がもつ通話機能により実現される。なお、本実施形態１においては、第１の携帯電話機を携帯電話機Ａとし、第２の携帯電話機を携帯電話機Ｂとして説明する。
【００１５】
（外部接続装置１の構成）
図２は、本実施形態１に係る外部接続装置１の概略構成を示すブロック図である。この外部接続装置１は、操作ボタン２と、接続部３と、制御部４、メモリ５と、制御部４等に電源電圧を供給する電池６とを備えている。
操作ボタン２は、利用者により押下操作される１個のボタンで構成され、利用者による押下操作に応じて操作信号を制御部４に出力する。
接続部３は、本外部接続装置１を携帯電話機Ａ，Ｂに取付けて保持し、制御部４と携帯電話機内の制御部との間で通信を行うために、携帯電話機の外部接続端子１０Ａ，１０Ｂに接続されるものである。なお、この接続部３は、ＰＤＣ型携帯電話機に対応したものであるが、例えばｃｄｍａ−ｏｎｅ型携帯電話機等の他種の携帯電話機に対応させることも可能である。外部接続端子の形状や配線等が異なる複数種の携帯電話機に対応させる場合、例えば、接続部３を他種の携帯電話機に対応させるための変換コネクタを、接続部３と携帯電話機の外部接続端子との間に介在させる方法が挙げられる。また、種類ごとに別個の接続部３を設ける方法も挙げられる。
【００１６】
制御部４は、利用者による押下操作によって操作ボタン２から送出される操作信号に応じて、各種制御コマンドを生成して携帯電話機Ａ，Ｂに送出したり、メモリ５内の記憶消去処理を行ったりするものである。この制御部４は、例えば、ＣＰＵ、ＲＡＭ、ＲＯＭ、Ｉ／Ｏインターフェース等からなるマイクロコンピュータで構成することができる。制御部４に各種機能を発揮させるためのプログラムは、上記マイクロコンピュータのＲＯＭ等に記憶されている。また、制御部４は、携帯電話機Ａ，Ｂの信号応答特性に基づいて携帯電話機の機種判別を行う機能も発揮する。
【００１７】
メモリ５は、携帯電話機Ａを識別するための識別情報を記憶するものである。この識別情報には、携帯電話機Ａの電話番号や電子メールアドレス又は制御部４で生成したＩＤ情報などを利用することができる。本実施形態１では、携帯電話機Ａの電話番号を識別情報として利用する。
【００１８】
（Ｗｅｂサーバ２０の構成）
図３は、本実施形態１におけるＷｅｂサーバ２０の概略構成を示す機能ブロック図である。このＷｅｂサーバ２０は、通信制御部２１と、送信部２２と、受信部２３と、記憶部２４、操作部２５とを備えている。このＷｅｂサーバ２０は、一般のサーバ装置として使用されるコンピュータであるが、パーソナルコンピュータを利用することもできる。
【００１９】
通信制御部２１は、各携帯電話機Ａ，Ｂから送信される電子メールを受信して、その電子メールに含まれる情報に基づいて、後述するメール配信処理を行うものである。また、送信部２２は、通信制御部２１の命令に従って各携帯電話機Ａ，Ｂに対して電子メールを送信するものであり、送信用メールサーバとして機能する部分である。また、受信部２３は、各携帯電話機Ａ，Ｂから送信される電子メールを受信するものであり、受信用メールサーバとして機能する部分である。これら通信制御部２１、送信部２２及び受信部２３は、パーソナルコンピュータが備えるＣＰＵ、ＲＡＭ、ＲＯＭ、Ｉ／Ｏインターフェース等により、その機能が実現される。
記憶部２４は、受信部２３で受信した電子メールに含まれる情報を記憶するものであり、例えばハードディスクで構成される。この記憶部２４には、受信用メールボックスとして機能する記憶領域（受信用メールボックス）と、電子メールに含まれる電話番号や電子メールアドレス等の情報を記憶する記憶領域（データベース）とが設けられている。
操作部２５は、Ｗｅｂサーバ２０のオペレータに対する情報の入力及び出力を行うものであり、例えば、パーソナルコンピュータが備えるキーボードやマウス等の入力装置及びディスプレイ等の出力装置により構成される。
【００２０】
（携帯電話機情報交換方法の処理の流れ）
次に、本実施形態１に係る携帯電話機情報交換方法により、二人の利用者がもつ携帯電話機間で電話番号及び電子メールアドレスを交換する際の処理の流れについて説明する。
図１に示すように、まず、利用者により携帯電話機Ａの外部接続端子１０Ａに外部接続装置１が接続されると、携帯電話機Ａの電話番号が外部接続装置１のメモリ５に記憶される。また、携帯電話機Ａの第１電話機情報である電話番号及び電子メールアドレスがＷｅｂサーバ２０に電子メールにより送信される（ステップ▲１▼）。次に、上記利用者は上記外部接続装置１を交換相手の利用者に渡し、その交換相手は携帯電話機Ｂの外部接続端子１０Ｂにその外部接続装置１を接続する。その後、携帯電話機Ｂの第２電話機情報である電話番号及び電子メールアドレス並びにメモリ５に記憶されている携帯電話機Ａの電話番号がＷｅｂサーバ２０に電子メールにより送信される（ステップ▲２▼）。このようにして、Ｗｅｂサーバ２０に両電子メールが送信されたら、Ｗｅｂサーバ２０から両携帯電話機Ａ，Ｂに、互いの電話番号及び電子メールアドレスが電子メールにより送信される（ステップ▲３▼）。
【００２１】
（第１メール送信処理：ステップ▲１▼）
図４は、携帯電話機Ａ，Ｂに接続された外部接続装置１の制御部４による処理の流れを示すフローチャートである。なお、初期の状態では、外部接続装置１のメモリ５内には、携帯電話機Ａの電話番号は記憶されていない。
まず、利用者により携帯電話機Ａの外部接続端子１０Ａに外部接続装置１が接続され、利用者が操作ボタン２を押下すると、その操作信号が制御部４に受信される（Ｓ１）。これにより、制御部４は、まず、接続部３から携帯電話機Ａに対して予め設定した信号を送出し、その信号の応答特性に基づいて携帯電話機Ａの機種を判別する処理を行う（Ｓ２）。以降の処理は、このようにして判別された機種に応じて行われる。なお、この機種判別処理では、機種が判別された後、外部接続装置１から送出される所定のコマンドによって携帯電話機を制御できる状態にする。
【００２２】
次に、制御部４は、メモリ５内に識別番号としての電話番号が記憶されているか否かを判断する（Ｓ３）。ステップ▲１▼では、メモリ５内に電話番号が記憶されていないので、制御部４はメモリ５内に電話番号が記憶されていないと判断する。これにより、制御部４は、以下に示す第１の機能を発揮する。すなわち、ステップ▲１▼において、制御部４は、接続部３から携帯電話機Ａに電話番号要求コマンドを送出する（Ｓ４）。このコマンドを受けた携帯電話機Ａは、携帯電話機Ａ内の記憶装置に記憶されている自局電話番号を外部接続端子１０Ａから送出する。この自局電話番号は、接続部３を介して制御部４に受け取られ、制御部４は、これをメモリ５に記憶する（Ｓ５）。その後、制御部４は、接続部３から携帯電話機Ａに電子メールを送信させるための第１メール送信制御コマンドを送出する（Ｓ６）。このコマンドを受けた携帯電話機Ａは、携帯電話機の利用者があたかもキー操作しているように制御される。そして、文中の所定箇所に自局電話番号が入力された電子メールが、携帯電話機Ａの通信機能により特定の宛先に送信される。この特定の宛先は、上記Ｗｅｂサーバ２０に設けられた特定の受信用メールサーバである。なお、この受信用メールサーバはＷｅｂサーバ２０とは別のサーバ装置のものを利用することもできる。
【００２３】
（第２メール送信処理：ステップ▲２▼）
上述のようにしてステップ▲１▼の処理を終えたら、次に、携帯電話機Ａの利用者は上記外部接続装置１を交換相手の利用者に渡し、その交換相手は携帯電話機Ｂの外部接続端子１０Ｂにその外部接続装置１を接続する。交換相手である利用者により操作ボタン２が押下されると、外部接続装置１の制御部４では、上述したＳ１〜Ｓ３までの処理が実行される。ここで、メモリ５には携帯電話機Ａの電話番号が記憶されているので、上記Ｓ３において、制御部４はメモリ５内に電話番号が記憶されていると判断する。このような判断を行うことで、利用者の操作方法の不知や操作ミスにより、ステップ▲１▼を終えた後に、再度携帯電話機Ａが接続されて操作ボタン２が操作されても、適切な処理を行うことができる。このように、上記Ｓ３において制御部４がメモリ５内に電話番号が記憶されていると判断すると、制御部４は、以下に示す第２の機能を発揮する。すなわち、ステップ▲２▼において、制御部４は、接続部３から携帯電話機Ｂに電子メールを送信させるための第２メール送信制御コマンドを送出する（Ｓ７）。このコマンドを受けた携帯電話機Ｂは、携帯電話機の利用者があたかもキー操作しているように制御される。そして、文中の所定箇所に自局電話番号及びメモリ５に記憶されている携帯電話機Ａの電話番号が入力された電子メールが、携帯電話機Ｂの通信機能により特定の宛先に送信される。この特定の宛先は、上記ステップ▲１▼と同じ宛先である。
【００２４】
通信制御部２１は、第２メール送信制御コマンドを送出したら、メモリ５に記憶されている携帯電話機Ａの電話番号をメモリ５から消去する（Ｓ８）。これにより、外部接続装置１は、メモリ５内に電話番号は記憶されていない初期状態に戻され、再び別の交換相手と電話番号及び電子メールアドレスを交換する際に再利用できる。
【００２５】
（メール配信処理：ステップ▲３▼）
図５は、Ｗｅｂサーバ２０によるメール配信処理の流れを示すフローチャートである。
上記ステップ▲１▼により、Ｗｅｂサーバ２０の受信部２３には、文中の所定箇所に携帯電話機Ａの電話番号が入力された電子メールが受信される（Ｓ１１）。また、上記ステップ▲２▼により、その受信部２３には、文中の所定箇所に携帯電話機Ｂの電話番号及び携帯電話機Ａの電話番号が入力された電子メールが受信される（Ｓ１１）。これらの電子メールは、記憶部２４に設けられる受信用メールボックスに保存される（Ｓ１２）。その後、通信制御部２１は、受信部２３で受信した電子メールの文中の所定箇所に入力されている電話番号が１つか否かを判断する（Ｓ１３）。
【００２６】
このとき、ステップ▲１▼において携帯電話機Ａから送信された電子メールに入力されている電話番号は、その携帯電話機Ａの電話番号のみである。この場合、通信制御部２１は、後述する記憶有効期限処理のためのカウンタをセットする（Ｓ１４）。このカウンタは、電話番号が１つである電子メールごとにセットされる。本実施形態１では、通信制御部２１がカウンタとして機能する。次いで、通信制御部２１は、その電子メールに入力されている電話番号と、その送信元アドレスすなわち携帯電話機Ａの電子メールアドレスとを互いに関連付けた状態で、交換元符号を付して、記憶部２４のデータベースに登録する（Ｓ１５）。このとき、電子メールに入力されている電話番号すなわち携帯電話機Ａの電話番号が識別ＩＤとして登録される。一方、ステップ▲２▼において携帯電話機Ｂから送信された電子メールに入力されている電話番号は、その携帯電話機Ｂの電話番号と、識別情報として利用される携帯電話機Ａの電話番号の２つである。この場合、通信制御部２１は、その電子メールに入力されている携帯電話機Ｂの電話番号と、その送信元アドレスすなわち携帯電話機Ａの電子メールアドレスとを互いに関連付けた状態で、交換先符号を付して、記憶部２４のデータベースに登録する（Ｓ１６）。このとき、電子メールに入力されている残りの電話番号すなわち携帯電話機Ａの電話番号が識別ＩＤとして登録される。
【００２７】
上記登録処理を終えたら、通信制御部２１は、データベース内を検索し、交換元符号が付された情報の識別ＩＤすなわち携帯電話機Ａの電話番号に一致する識別ＩＤが、交換先符号が付された情報の中に存在するか否かを判断する（Ｓ１７）。このとき、一致するものが検索されなければ、通信制御部２１は、そのまま処理を終了し、次の電子メールが受信されるまで待機する。一方、一致するものが検索されたとき、通信制御部２１は、まず、上記Ｓ１４でセットしたカウンタを解除した後（Ｓ１８）、メール送信処理を行う（Ｓ１９）。このメール送信処理では、まず、一致した識別ＩＤをもつ交換元符号及び交換先符号が付された電話番号及び電子メールアドレスを記憶部２４のデータベースから読み出す。このとき、交換元符号が付されたものは、携帯電話機Ａの電話番号及び電子メールアドレスであり、交換先符号が付されたものは、携帯電話機Ｂの電話番号及び電子メールアドレスである。次に、宛先を携帯電話機Ｂの電子メールアドレスとし、携帯電話機Ａの電話番号及び電子メールアドレスを文中に入力した電子メールを作成する。また、宛先を携帯電話機Ａの電子メールアドレスとし、携帯電話機Ｂの電話番号及び電子メールアドレスを文中に入力した電子メールも作成する。そして、これらの電子メールを送信部２２に送り、送信部２２から各携帯電話機Ａ，Ｂにそれぞれ電子メールを送信する。
【００２８】
上記メール送信処理を終えたら、通信制御部２１は、一致した識別ＩＤと同じ電話番号が文中に入力されている２つの電子メールを記憶部２４の受信用メールボックスから削除する（Ｓ２０）。また、通信制御部２１は、一致した識別ＩＤをもつ電話番号及び電子メールアドレスを記憶部２４のデータベースから削除する（Ｓ２０）。このように電話番号等の交換が終わった電子メール等を記憶部２４から削除することで、Ｗｅｂサーバ２０に対する不正アクセスによる個人情報の漏洩を抑制することができる。
【００２９】
また、本実施形態１では、Ｗｅｂサーバ２０に対する不正アクセスによる個人情報の漏洩を更に効果的に防ぐため、記憶部２４の記憶有効期間を制限している。
図６は、Ｗｅｂサーバ２０による記憶有効期限処理の流れを示すフローチャートである。上述したＳ１４においてカウンタがセットされたら、上記Ｓ１９におけるカウンタの解除が行われたか否かを判断する（Ｓ２１）。カウンタの解除が行われた場合、通信制御部２１は、そのまま記憶有効期限処理を終了する。一方、カウンタの解除が行われていない場合、通信制御部２１は、カウンタの値が予め設定された所定期間である有効期間を示す値に達したか否かを判断する（Ｓ２２）。この有効期間は、適宜設定可能であるが、個人情報の漏洩を効果的に防ぐためには、例えば５分程度となるべく短い期間に設定することが望ましい。そして、カウンタの値が有効期間を示す値に達したら、上述したＳ２０の処理と同様に、通信制御部２１は、そのカウンタに対応する電子メールすなわち携帯電話機Ａから送信された電子メールを記憶部２４の受信用メールボックスから削除する（Ｓ２３）。また、通信制御部２１は、そのカウンタに対応する電子メールに含まれていた電話番号及び電子メールアドレスを記憶部２４のデータベースから削除する（Ｓ２３）。このような構成により、携帯電話機Ａから電子メールを受信した後、有効期間内に携帯電話機Ｂからの電子メールが受信されない場合には、記憶部２４から携帯電話機Ａの電話番号及び電子メールアドレスという個人情報が消去される。よって、Ｗｅｂサーバ２０に対する不正アクセスによる個人情報の漏洩を更に効果的に防ぐことができる。
【００３０】
なお、本実施形態１では、記憶部２４の記憶有効期限処理を行っているがこの処理は必ずしも必要ではない。この記憶有効期限処理を行わない場合には、携帯電話機Ａから電子メールを受信した後、携帯電話機Ｂからの電子メールが受信されるまでは、記憶部２４から携帯電話機Ａの電話番号及び電子メールアドレスが残った状態になる。そのため、例えば携帯電話機Ａの利用者が外部接続装置１を紛失したり盗難されたりして、その外部接続装置１が自分の交換意志のない者の手に渡って、自分の電話番号等が勝手に交換されるおそれがある。この場合、携帯電話機Ａの利用者は、その勝手に交換した相手の電話番号等を知ることができるため、その相手に対して対処することが可能である。
【００３１】
また、従来の上記公報に開示された方法により互いの電話番号等の電話機情報の交換する場合、外部接続装置を入手した者であれば誰であろうと、その者の携帯電話機に自分の電話番号等が登録されてしまっていた。そのため、利用者が自分の外部接続装置を紛失したり盗まれたりして、その外部接続装置が自分の交換意志のない者の手に渡った場合でも、その者の携帯電話機に自分の電話番号等が登録されることになる。そのため、自分の外部接続装置を入手した者に自分の電話番号等を不正利用されるおそれがある。しかし、上記公報に開示の従来方法では、このような不正利用を防ぐ手だてが全くない。したがって、携帯電話機の電話番号等という特に不正利用されやすい個人情報に対するセキュリティ性が極めて低いものであった。これに対し、本実施形態１に係る方法においては、外部接続装置１が自分の交換意志のない者の手に渡った場合でも、携帯電話機Ａの利用者がＷｅｂサーバ２０のオペレータに連絡してサービスの利用停止を求めることができる。具体的に説明すると、例えば利用者が外部接続装置１を紛失したとき、その利用者は、その旨をＷｅｂサーバ２０のオペレータに連絡する。これにより、オペレータは、Ｗｅｂサーバ２０の操作部２５を操作して、通信制御部２１に記憶消去命令を行う。これにより、通信制御部２１は、その利用者の携帯電話機Ａの電話番号をもつ電子メールを記憶部２４の受信用メールボックスから削除する。また、その電話番号を識別情報としてもつ電話番号及び電子メールアドレスも記憶部２４のデータベースから削除する。これにより、たとえ紛失した外部接続装置１を入手した第三者がこれを利用して上記ステップ▲２▼の処理を行ったとしても、上記メール配信処理のＳ１７において一致するものがないと判断される。したがって、その第三者に携帯電話機Ａの電話番号及び電子メールアドレスが知られることはない。
【００３２】
〔変形例１〕
次に、上記実施形態１の外部接続装置１の変形例（以下、本変形例を「変形例１」という。）について説明する。
図７は、本変形例１に係る外部接続装置１０１の概略構成を示すブロック図である。この外部接続装置１０１は、上記実施形態１の外部接続装置１の構成にタイマー部１０７が追加されている点が特徴となっている。このタイマー部１０７は、例えばカウンタ回路から構成される。このタイマー部１０７は、制御部１０４からリセット信号を受けることでリセットされ、タイマー部１０７が示すカウント値が予め設定された所定期間である有効期間を示す規定値に達したときに期限切れ信号を制御部１０４に送出する。この有効期間は、適宜設定可能であるが、個人情報の漏洩を効果的に防ぐためには、例えば５分程度となるべく短い期間に設定することが望ましい。
【００３３】
図８は、制御部１０４によるメモリ有効期限処理の流れを示すフローチャートである。制御部１０４は、図４に示した外部接続装置１の処理の上記Ｓ５においてメモリ５に携帯電話機Ａの電話番号を記憶したら（Ｓ３１）、以下に示す第３の機能を発揮する。すなわち、制御部１０４は、まず、タイマー部１０７にリセット信号を送出する（Ｓ３２）。これにより、タイマー部１０７は、カウント値をリセットし、カウントを開始する。そして、制御部１０４は、タイマー部１０７が示すカウント値が規定値に達したときに送出される期限切れ信号を受信したら（Ｓ３３）、メモリ５に記憶されている電話番号をメモリ５から消去する（Ｓ３５）。また、制御部１０４は、タイマー部１０７からの期限切れ信号を受信するまでに、図４に示した外部接続装置１の処理の上記Ｓ７において、携帯電話機Ｂに電子メールを送信させるための第２メール送信制御コマンドを送出したときも（Ｓ３４）、メモリ５に記憶されている電話番号をメモリ５から消去する（Ｓ３５）。なお、本変形例においては、図４に示した外部接続装置１の処理の上記Ｓ８におけるメモリ消去処理は、本メモリ有効期限処理において行われるため不要となる。これにより、たとえ外部接続装置１を紛失等して第三者の手に渡り、これを利用して上記ステップ▲２▼の処理を行おうとしても、そのときには既にタイマー部１０７によりメモリが消去されている。よって、その不正利用の際には、上記Ｓ３においてメモリ５内に電話番号が記憶されていないと判断され、ステップ▲２▼を実行することはできない。したがって、その第三者に携帯電話機Ａの電話番号及び電子メールアドレスが知られることはない。
【００３４】
なお、本変形例においては、上記ステップ▲１▼を終えた利用者は、上記有効期間内に外部接続装置１を交換相手に渡して上記ステップ▲２▼を完了しなければならない。したがって、個人情報の漏洩を効果的に防ぐために有効期間を短く設定すると、上記ステップ▲２▼を終えなければならない時間が短く制限され、利用者にとって不便と感じるおそれもある。この場合、例えば、携帯電話機Ａが接続された状態でステップ▲１▼を終えた後、再度その携帯電話機Ａが接続されて操作ボタン２が操作された場合、制御部１０４からタイマー部１０７に再びリセット信号が送出される構成とする。この構成により、メモリ５の電話番号の有効期間を延長できる。
【００３５】
〔変形例２〕
次に、上記実施形態１の外部接続装置１の変形例（以下、本変形例を「変形例２」という。）について説明する。
図９は、本変形例２に係る外部接続装置２０１の外観図である。この外部接続装置２０１は、上記実施形態１の外部接続装置１の構成に報知手段としてのランプ２０８が追加されている点が特徴となっている。このランプ２０８には、例えばＬＥＤ等を利用することができる。このランプ２０８は、接続部３に携帯電話機を接続したときに制御部４が上述した第１の機能と第２の機能のいずれの機能を発揮するかを利用者に報知するためのものである。具体的には、メモリ５内に電話番号が記憶されているときにはランプ２０８が点灯し、メモリ５内に電話番号が記憶されていないときにはランプ２０８が消灯するように、制御部４がランプ２０８を制御する。これにより、利用者は、ランプ２０８が点灯、消灯を見ることで、メモリ５内に電話番号が記憶されているか否かを確認することができる。よって、利用者は、その外部接続装置２０１を用いてステップ▲１▼を行うべきか、ステップ▲２▼を行うべきかを判断でき、適切な処理を行うことが可能となる。特に、上述したＳ３の判断を行わない構成とした場合に有効である。すなわち、このような構成とした場合、ステップ▲１▼を終えた後に再度携帯電話機Ａが接続されて操作ボタン２が操作されると、誤ってステップ▲２▼を実行してしまう。しかし、ランプ２０８により利用者にメモリ５内に電話番号が記憶されていることを報知すれば、利用者がステップ▲１▼を終えた後に再度携帯電話機Ａを接続して操作ボタン２を押すことに対し、注意を与えることができる。
【００３６】
〔実施形態２〕
次に、本発明を、３人の利用者がもつ携帯電話機間で互いに電話番号及び電子メールアドレスを交換する携帯電話機情報交換方法に適用した一実施形態（以下、本実施形態を「実施形態２」という。）について説明する。
まず、本実施形態２に係る携帯電話機情報交換方法を実施するための携帯電話機情報交換システム全体の構成について説明する。
図１０は、本実施形態２に係る携帯電話機情報交換システム全体の概略構成図である。このシステムは、各利用者がそれぞれ所有する携帯電話機Ａ，Ｂ，Ｃと、これらの携帯電話機の外部接続端子１０Ａ，１０Ｂ，１０Ｃに接続される携帯電話機用の外部接続装置１０１と、これらの携帯電話機との間で情報通信を行うサーバ装置としてのＷｅｂサーバ２０とから構成されている。各携帯電話機Ａ，Ｂ，Ｃ及びＷｅｂサーバ２０は、上記実施形態１と同様のものである。また、外部接続装置１０１の構成は、上記変形例１と同様のものであり、タイマー部１０７を有するものである。
【００３７】
次に、本実施形態２に係る携帯電話機情報交換方法により、３人の利用者がもつ携帯電話機間で互いに電話番号及び電子メールアドレスを交換する際の処理の流れについて説明する。
図１０に示すように、上記実施形態１と同様に、第１メール送信処理及び第２メール送信処理を行うが（ステップ▲１▼，▲２▼）、ステップ▲２▼において、図４に示したフローチャートのＳ８に示すメモリ消去は行わない。したがって、第２メール送信処理を完了した後も、外部接続装置１０１のメモリ５には携帯電話機Ａの電話番号が残った状態にある。次に、本実施形態２では、携帯電話機Ｂの利用者は上記外部接続装置１０１を更にもう１人の交換相手である３人目の利用者に渡し、その交換相手は携帯電話機Ｃの外部接続端子１０Ｃにその外部接続装置１０１を接続する。この接続後の処理は、上記第２メール送信処理と同じである（ステップ▲３▼）。このようにして、Ｗｅｂサーバ２０に３つの電子メールが送信されたら、Ｗｅｂサーバ２０から各携帯電話機Ａ，Ｂ，Ｃに、それぞれ他の２人の電話番号及び電子メールアドレスが電子メールにより送信される（ステップ▲４▼）。
【００３８】
ここで、本実施形態２におけるＷｅｂサーバ２０では、図５に示したメール配信処理におけるＳ１９のメール送信処理の内容が上記実施形態１と異なっている。すなわち、本実施形態２のメール送信処理では、一致した識別ＩＤをもつ交換元符号又は交換先符号が付された３つの電話番号及び電子メールアドレスが記憶部２４のデータベースから読み出されることになる。このとき、交換元符号が付されたものは携帯電話機Ａの電話番号及び電子メールアドレスであり、交換先符号が付されたものは、携帯電話機Ｂ及び携帯電話機Ｃの電話番号及び電子メールアドレスである。次に、宛先を携帯電話機Ａの電子メールアドレスとし、携帯電話機Ｂ及び携帯電話機Ｃの電話番号及び電子メールアドレスを文中に入力した電子メールも作成する。また、宛先を携帯電話機Ｂの電子メールアドレスとし、携帯電話機Ａ及び携帯電話機Ｃの電話番号及び電子メールアドレスを文中に入力した電子メールを作成する。更に、宛先を携帯電話機Ｃの電子メールアドレスとし、携帯電話機Ａ及び携帯電話機Ｂの電話番号及び電子メールアドレスを文中に入力した電子メールを作成する。そして、これらの電子メールを送信部２２に送り、送信部２２から各携帯電話機Ａ，Ｂにそれぞれ電子メールを送信する。
【００３９】
図１１は、本実施形態２における外部接続装置１０１の制御部１０４によるメモリ有効期限処理の流れを示すフローチャートである。制御部１０４は、外部接続装置１０１の接続部３から携帯電話機Ｂの外部接続端子１０Ｂが取り外されたら（Ｓ４１）、以下に示す第５の機能を発揮する。すなわち、制御部１０４は、まず、タイマー部１０７にリセット信号を送出する（Ｓ４２）。これにより、タイマー部１０７は、カウント値をリセットし、カウントを開始する。そして、制御部１０４は、タイマー部１０７が示すカウント値が規定値に達したときに送出される期限切れ信号を受信したら（Ｓ４３）、メモリ５に記憶されている電話番号をメモリ５から消去する（Ｓ４５）。また、制御部１０４は、タイマー部１０７からの期限切れ信号を受信するまでに、携帯電話機Ｃの外部接続端子１０Ｃが外部接続装置１０１の接続部３に取り付けられたときも（Ｓ４４）、メモリ５に記憶されている電話番号をメモリ５から消去する（Ｓ４５）。なお、本実施形態２では、メモリの有効期限を５分に設定している。このように有効期限を短く設定すれば、互いに交換相手となる３者がその場に居合わせないと電話番号等を交換することができないようにすることができる。したがって、外部接続装置１を紛失等して第三者の手に渡り、不正利用されることはほとんどない。
【００４０】
なお、上記実施形態２では、交換を意図する相手であるか否かの判断のため、携帯電話機Ａ，Ｂ，Ｃから外部接続装置１０１を取り外してから５分以内という条件を採用しいているが他の条件を採用することもできる。例えば、携帯電話機に特定の者（共通の友人等）の電話番号情報が記憶されているという条件を採用することができる。この場合、図４に示した外部接続装置のＳ３の処理において制御部４がメモリ５内に電話番号が記憶されていると判断した後、上記Ｓ７の処理を行う前に、接続されている携帯電話機に特定の者の電話番号情報が記憶されているか否かの判断処理を行うようにすればよい。なお、この条件を採用する場合でも、電話番号情報の不正利用を抑制するために、図８に示したフローチャートのようなメモリ有効期限処理を行うようにしてもよい。
また、上記実施形態２では、３者間での交換を例に挙げて説明したが、４者≧の間で交換を行う場合にも同様に適用することができる。
【００４１】
【発明の効果】
請求項１乃至７の発明によれば、携帯電話機の電話番号や電子メールアドレス等の電話機情報を変更した場合でも、変更前の外部接続装置をそのまま利用し続けることができるので、煩雑な手続きを行うことなく継続して携帯電話機の電話番号等の交換を行うことができるという優れた効果がある。
また、請求項３及び４の発明によれば、交換意志のない者の手に外部接続装置が渡っても所定期間が経過すれば識別情報が消去されるので、その識別情報に利用されている電話機情報等が不正利用されるのを抑制することができるという優れた効果がある。
特に、請求項４の発明によれば、所定期間が経過すると識別情報が消去されることの不利な点、すなわち、第１の工程を終えてから第２の工程を終えるまでの時間が制限されるという点を解消することができるという優れた効果がある。
また、請求項５の発明によれば、利用者の操作方法の不知や操作ミスにより、第１の工程を終えた後にその第１の携帯電話機に対して第２の工程が実行されるという予定しない事態を未然に防止できるという優れた効果がある。
また、請求項６の発明によれば、利用者は、本外部接続装置を利用する前に予め発揮される機能を把握できるので、外部接続装置に対する携帯電話機の接続や取外しを繰り返しながら試行錯誤するという無用な作業を強いられる事態を防止することができるという優れた効果がある。
また、請求項７の発明によれば、３者以上の間で電話機情報を交換する場合であっても、識別情報に利用されている電話機情報等が不正利用されるのを抑制でき、３者以上の間での交換も安全に行うことができるという優れた効果がある。
【図面の簡単な説明】
【図１】実施形態１に係る携帯電話機情報交換システム全体の概略構成図。
【図２】同携帯電話機情報交換システムを構成する外部接続装置の概略構成を示すブロック図。
【図３】同携帯電話機情報交換システムを構成するＷｅｂサーバの概略構成を示す機能ブロック図。
【図４】同外部接続装置の制御部による処理の流れを示すフローチャート。
【図５】同Ｗｅｂサーバによるメール配信処理の流れを示すフローチャート。
【図６】同Ｗｅｂサーバによる記憶有効期限処理の流れを示すフローチャート。
【図７】変形例１に係る外部接続装置の概略構成を示すブロック図。
【図８】同外部接続装置の制御部によるメモリ有効期限処理の流れを示すフローチャート。
【図９】変形例２に係る外部接続装置の外観図。
【図１０】実施形態２に係る携帯電話機情報交換システム全体の概略構成図。
【図１１】同携帯電話機情報交換システムを構成する外部接続装置の制御部によるメモリ有効期限処理の流れを示すフローチャート。
【符号の説明】
１，１０１，２０１  外部接続装置
２    操作ボタン
３    接続部
４，１０４  制御部
５    メモリ
２０  サーバ
２１  通信制御部
２２  送信部
２３  受信部
２４  記憶部
１０７  タイマー部
２０８  ランプ
Ａ，Ｂ  携帯電話機
【図１】
0004070518.tif 000002
【図２】
0004070518.tif 000003
【図３】
0004070518.tif 000004
【図４】
0004070518.tif 000005
【図５】
0004070518.tif 000006
【図６】
0004070518.tif 000007
【図７】
0004070518.tif 000008
【図８】
0004070518.tif 000009
【図９】
0004070518.tif 000010
【図１０】
0004070518.tif 000011
【図１１】
0004070518.tif 000012